(57)【特許請求の範囲】
【請求項１】
電気ギターに搭載される弦振動持続装置に用いる極薄型電磁ドライバーであって、
前記弦振動持続装置は、
弦振動の周波数を検出し、前記の検出した弦振動の周波数を電気信号に変換するリアピックアップと、
前記の変換された電気信号を増幅する増幅器と、
前記の増幅された電気信号を磁気信号に変換して弦を励振する極薄型電磁ドライバーとを備え、
前記極薄型電磁ドライバーは、
磁性体で形成された２枚の磁極プレートと前記２枚の磁極プレートの間に弦と水平に配置された希土類系マグネットと前記希土類系マグネットに弦に対して垂直方向に巻装されたコイルとで構成され、
全体の厚みが３ミリメートル以下で極薄に形成され、
前記電気ギターのネックエンド部とフロントピックアップとの間隙に配置されていることを特徴とする極薄型電磁ドライバー。
【請求項２】
前記希土類系マグネットは、ネオジムマグネットであることを特徴とする請求項１に記載の極薄型電磁ドライバー。
【請求項３】
極細ワイヤが、前記コイルの直流抵抗成分を増加させることにより、カットオフ周波数を高周波数側に少なくとも１３００Ｈｚ以上シフトさせるために、前記希土類系マグネットに緊密に巻装されていることを特徴とする請求項１または２に記載の極薄型電磁ドライバー。
【請求項４】
前記２枚の磁極プレートは、放熱効果向上のために、各々絶縁性熱伝導樹脂でコーティングされていることを特徴とする請求項１〜３のいずれか一項に記載の極薄型電磁ドライバー。
【請求項５】
磁気抵抗スリットが前記希土類系マグネットよりも下側および／または左右両側の前記２枚の磁極プレートの各々に形成され、
磁性部材が前記コイルよりも下側の前記極薄型電磁ドライバーに配置され、
前記磁性部材は、前記極薄型電磁ドライバーの下側方向への磁気エネルギー拡散を可及的に抑制するために、磁気的閉磁路または磁気的半閉磁路を形成することを特徴とする請求項１〜４のいずれか一項に記載の極薄型電磁ドライバー。
【請求項６】
前記極薄型電磁ドライバーは、
電気ギター本体の前記フロントピックアップのネック側の本体壁面に弦方向への昇降台座を介して取りつけられており、
ピックガードの前記フロントピックアップに隣接した部分を切り欠いたスペース、またはエスカッションのネック側を切り欠いたスペースに昇降台座を介して取り付けられていることを特徴とする請求項１〜５のいずれか一項に記載の極薄型電磁ドライバー。
【請求項７】
弦振動持続装置を備えた電気ギターにおいて、
前記弦振動持続装置は、
弦振動の周波数を検出し、前記の検出した弦振動の周波数を電気信号に変換するリアピックアップと、
前記の変換された電気信号を増幅する増幅器と、
前記の増幅された電気信号を磁気信号に変換して弦を励振する極薄型電磁ドライバーとを備え、
前記極薄型電磁ドライバーは、
磁性体で形成された２枚の磁極プレートと前記磁極プレートの間に弦と水平に配置された希土類系マグネットと前記希土類系マグネットに弦に対して垂直方向に巻装されたコイルとで構成され、
全体の厚みが３ミリメートル以下で極薄に形成され、
前記電気ギターのネックエンド部とフロントピックアップとの間隙に配置されていることを特徴とする電気ギター。
【発明の詳細な説明】
【技術分野】
【０００１】
本発明は、電磁ピックアップ（「ピックアップ」ともいう）を備えた電気ギターに搭載される弦振動持続装置に用いる電磁ドライバーに関する。
【背景技術】
【０００２】
一般に電気ギターは、クラシックギター，フラメンコギターおよびフォークギター等のアコースティックギターと比較して、弦振動を自然増幅するための内部共鳴空間が不要または僅少でよい。したがって、デザインおよび設計の自由度が大きく種々の形状およびデザインの電気ギターの商品が設計，市販されている。
【０００３】
しかしながら、電気ギターの基本的構成に関しては、典型的には図７および図８に示す２機種のモデルの形態が標準となっている。
【０００４】
図７に示された電気ギターは、米国ギブソン（登録商標）社により１９５２年に発表されたいわゆるレスポール（登録商標）モデルという商品名で呼ばれているタイプ（以下、ギブソン（登録商標）タイプと記す）である。また図８に示された電気ギターは、米国フェンダー（登録商標）社により１９５４年に発表されたいわゆるストラトキャスター（登録商標）という商品名で呼ばれているタイプ（以下、フェンダー（登録商標）タイプと記す）である。
【０００５】
この２機種は極めて多数の著名ミュージシャンが使用していることにより世界で最も有名なモデルである。現在市販されている９０％以上の電気ギターの基本的構造は、この２機種のモデルと同様または組み合わせた派生形態となっている。
【０００６】
この典型的な２機種のモデルを始めとして、実質的に全ての電気ギターには複数の電磁ピックアップが搭載されている。
【０００７】
例えば、図７に示すギブソンタイプの電気ギター１の本体２に２個の電磁ピックアップが搭載されている。ネック３側に搭載されているピックアップはフロントピックアップ４と呼ばれ、ブリッジ５側に搭載されているピックアップはリアピックアップ６と呼ばれている。
【０００８】
なお、これらのフロントピックアップ４およびリアピックアップ６は、エスカッション７と呼ばれるピックアップ搭載枠体を介して本体２に取り付けられている。
【０００９】
その他のギブソンタイプの電気ギター１の構成は以下の通りとなっている。
【００１０】
電気ギター１は、弦８、テールピース９、ピックアップ切り換えスイッチ１０、コントロールノブ１１、出力ジャック１２、ピックガード１３、およびストラップピン１４を備える。この弦８はネック３の先端の調弦ペグ（図示せず）に、また他端はブリッジ５を経由してテールピース９に係止されている。コントロールノブ１１は、音量および音質をコントロールできる。
【００１１】
一方、図８に示すフェンダータイプの電気ギター１５の場合、３個の電磁ピックアップが搭載されている。ネック３側に搭載されているピックアップはフロントピックアップ１６と、またブリッジ１７側に搭載されているピックアップはリアピックアップ１８と、真ん中に搭載されているピックアップはセンターピックアップ１９と呼ばれている。
【００１２】
なお、これらのフロントピックアップ１６、リアピックアップ１８、およびセンターピックアップ１９は、プラスティック板またはアルミ板にて形成されたピックガード２０を介して本体２に取り付けられている。
【００１３】
以上が一般的な電気ギターの構成となる。特に、複数のフロントピックアップ４，１６、リアピックアップ６，１８、またはセンターピックアップ１９は、それぞれ音楽表現上重要な意味を持って搭載されている。
【００１４】
フロントピックアップ４，１６は、ネック３に隣接して取り付けられている。したがって、フロントピックアップ４，１６で検出される弦振動は、基音成分が多くなり、また相対的に倍音成分は少なくなり、その音色は柔らかく暖かめのサウンド特性となる。
【００１５】
一方、リアピックアップ６，１８は、ブリッジ５，１７に隣接して取り付けられている。したがって、リアピックアップ６，１８で検出される弦振動は、基音成分が減少して相対的に倍音成分が多くなり、その音色は硬めでメリハリのきいたブライトな傾向のサウンド特性となる。
【００１６】
後者のタイプのセンターピックアップ１９は、フロントピックアップ１６およびリアピックアップ１８の中間のサウンド特性となる。
【００１７】
なお、電気ギター１，１５には各々のフロントピックアップ４，１６、リアピックアップ６，１８、またはセンターピックアップ１９を切り替えるピックアップ切り換えスイッチ１０が搭載されている。このピックアップ切り換えスイッチ１０において、フロントピックアップ４，１６、リアピックアップ６，１８、またはセンターピックアップ１９を複数同時にＯＮにすることにより、混合されたサウンド特性を得ることも可能となっている。
【００１８】
このように電気ギター１，１５は複数のフロントピックアップ４，１６、リアピックアップ６，１８、またはセンターピックアップ１９の搭載および選択機構を有しているため、ミュージシャンは自身の音楽表現上必要なサウンド特性に合わせてピックアップを選択して演奏を行っている。
【００１９】
また、ミュージシャンは一つの曲中においても、例えば、リズム演奏時は柔らかく暖かめのサウンド特性のフロントピックアップ４，１６を使用し、リード（メロディやアドリブ）演奏時は硬質でメリハリの利いたサウンド特性のリアピックアップ６，１８を使用する等サウンドに変化を付けて演奏することが恒常的に行われている。
【００２０】
換言すると、このような電気ギターにおいて複数のピックアップ搭載は必要不可欠な構成要件となっている。
【００２１】
さて、一般的に電気ギターは、ピッキングと同時にその弦振動は最大となり、その後減衰していく特性を有している。
【００２２】
これがいわゆる撥弦楽器、即ちギター属の楽器の最大の特徴となっている。近年、弦振動を電磁エネルギーにより永続的に持続させる弦振動持続装置が提案され、電気ギターに新たな表現を創出できるということにて好評を博している。
【００２３】
この弦振動持続装置は出願人により「ＦＥＲＮＡＮＤＥＳ  ＳＵＳＴＡＩＮＥＲ（登録商標）」という商品名で販売されている。その他米国「Ａｌａｎ  Ｈｏｏｖｅｒ氏」により「ＳＵＳＴＩＮＩＡＣ」という商品名で販売されている。また、かつては米国「Ｆｌｏｙｄ  Ｒｏｓｅ氏」により「Ｆｌｏｙｄ  Ｒｏｓｅ・ＳＵＳＴＡＩＮＥＲ」という商品名で販売されていた。
【００２４】
３者の弦振動持続装置としての技術は、特許文献１，２（Ａｌａｎ  Ａ．  Ｈｏｏｖｅｒ等）、特許文献３（Ｆｌｏｙｄ  Ｄ．  Ｒｏｓｅ等）、特許文献４〜６（株式会社フェルナンデス（登録商標））にて開示されている。
【００２５】
引用文献１〜６に開示される弦振動持続装置は、基本的には以下の構成となっている。
【００２６】
弦振動持続装置は、弦振動の周波数を検出し、検出した弦振動の周波数を電気信号に変換するリアピックアップと、この変換された電気信号を増幅する増幅器と、この増幅された電気信号を磁気信号に変換して弦を励振する電磁ドライバーとで構成されている。
【００２７】
このような従来の弦振動持続装置における電磁ドライバーは、弦に対する充分な励振力を付与するために電気ギターの構造上、ブリッジ寄りの位置では力学的に弦は励振されにくいため、ネック寄りに搭載することが望ましい。即ち、可能な限り弦を励振し易い位置である本来フロントピックアップのあった位置に電磁ドライバーを搭載することを余儀なくされている。
【００２８】
このことは、前述の通り電気ギターにおいて必要不可欠であったフロントピックアップを電気ギターのネック寄りの位置に搭載することができず、フロントピックアップの音楽表現をスポイルしてしまうという電気ギターとしては致命的な難点を有している。
【００２９】
この難点を解消するために、前出「Ａｌａｎ  Ｈｏｏｖｅｒ氏」により引用文献２に開示されている通り、電磁ドライバーを励振装置として使用しないときにフロントピックアップとして利用する技術が提案されている。
【００３０】
電磁ドライバーは基本的にはピックアップと近似の構成となっている。しかしながら、弦を励振させるために電磁ドライバーのコイルの巻き数と線径がピックアップのそれらと異なるため、電磁ドライバーをそのままフロントピックアップとして利用すると検出信号は弱くなってしまう。そこで、引用文献２の技術は、昇圧トランスおよび／またはオペアンプで増幅してピックアップの信号のレベルまで信号増幅するという内容である。
【００３１】
この提案により、一応フロントピックアップに近似したサウンド特性は得られるようになるものである。しかしながら、その信号は必然的にオペアンプおよび弦振動持続装置の内部回路にて加工されてしまうため、すなわちアクティブ作動ピックアップとなってしまうため本来の有るべきフロントピックアップそのものの信号とは大きくかけ離れてしまうという問題があった。
【００３２】
また、基本的に前述の通り電磁ドライバーとピックアップとは異なる線径および巻き数のコイルが使用されているため、たとえ、増幅または昇圧がうまくいったとしても本質的なフロントピックアップのサウンド特性は得られがたい。
【００３３】
一方、前述したようにフロントピックアップは必然的にアクティブ作動ピックアップとなっているため、弦振動持続装置自体を使用しないときにも増幅器の作動用に電池による電源供給を行うことが必需となり、さらに、電池が消耗したときに全くサウンド信号を出力できなくなってしまうという難点も有している。
【００３４】
また、この種の弦振動持続装置で最も困難な問題となっている磁気フィードバックの抑制という別の観点から、電磁ドライバーとリアピックアップとは可能な限り離間して配置することが要求されていた。
【００３５】
即ち、電磁ドライバーは励振中には極めて強い磁気エネルギーの放射を行うため、この放射された磁気エネルギーの一部がリアピックアップに入り込み、その結果発振してしまい、本来の楽器としての楽音信号以外の不要ノイズを出力してしまう。
【００３６】
この磁気フィードバックを抑制するための技術として、前出「Ａｌａｎ  Ｈｏｏｖｅｒ氏」により引用文献２に開示されている「磁気的不均衡装置（シャント板）」を採用した弦振動持続装置が開発された。出願人により引用文献４，６に開示されている「水平構造ドライバー」も開発された。
【００３７】
これらの技術により弦振動持続装置は有効に実用化が可能になった。もっとも理想的かつ原理的にこの磁気フィードバックを抑制するためには少しでも電磁ドライバーとリアピックアップとは離間配置されることが希求されていた。しかしながら、従来のフロントピックアップの位置に電磁ドライバーを配置する弦振動持続装置では今以上の離間配置は不可能となっている。
【先行技術文献】
【特許文献】
【００３８】
【特許文献１】米国特許第４８５２４４４号明細書
【特許文献２】特表平０３−５０６０８３号公報
【特許文献３】特表平０３−５０４５４２号公報
【特許文献４】特許第３２３３６５９号公報
【特許文献５】特許第３３０８２８８号公報
【特許文献６】特許第３２６７３１７号公報
【発明の概要】
【発明が解決しようとする課題】
【００３９】
本発明は上記欠点を解消したもので、本来のフロントピックアップはそのままの位置での搭載を可能とし、弦振動持続装置の不使用時には従前の電気ギターと同一のフロントピックアップサウンドを得ることを可能とした弦振動持続装置に用いる極薄型電磁ドライバーを提供することを目的とする。
【００４０】
また、本発明は、弦振動を検出するリアピックアップと電磁ドライバーとを実質的に限界寸法での最大距離で離間配置することを可能にし、リアピックアップに入り込む磁気フィードバックの影響も可及的に抑制できることを可能とした弦振動持続装置に用いる極薄型電磁ドライバーを提供することを目的とする。
【００４１】
さらに、本発明は、３ミリメートル程度の極薄型とすることにより電磁ドライバーから放射される磁気エネルギーを弦付近にピンポイントで収束させることにより磁気フィードバックの影響をさらに抑制することを可能とした弦振動持続装置に用いる極薄型電磁ドライバーを提供することを目的とする。
【００４２】
また、本発明は、前述のような極薄型電磁ドライバーを備えることにより本来の電気ギターとしてのサウンド創出性能をスポイルしない弦振動持続装置を搭載した電気ギターを提供することを目的とする。
【課題を解決するための手段】
【００４３】
本発明に係る極薄型電磁ドライバーは、電気ギターに搭載される弦振動持続装置に用いる極薄型電磁ドライバーであって、弦振動持続装置は、弦振動の周波数を検出し、検出した弦振動の周波数を電気信号に変換するリアピックアップと、変換された電気信号を増幅する増幅器と、増幅された電気信号を磁気信号に変換して弦を励振する極薄型電磁ドライバーとを備え、極薄型電磁ドライバーは、磁性体で形成された２枚の磁極プレートと２枚の磁極プレートの間に弦と水平に配置された希土類系マグネットと希土類系マグネットに弦に対して垂直方向に巻装されたコイルとで構成され、全体の厚みが３ミリメートル以下で極薄に形成され、電気ギターのネックエンド部とフロントピックアップとの間隙に配置されている。
【００４４】
本発明に係る電気ギターは、弦振動持続装置を備えた電気ギターにおいて、弦振動持続装置は、弦振動の周波数を検出し、検出した弦振動の周波数を電気信号に変換するリアピックアップと、変換された電気信号を増幅する増幅器と、増幅された電気信号を磁気信号に変換して弦を励振する極薄型電磁ドライバーとを備え、極薄型電磁ドライバーは、磁性体で形成された２枚の磁極プレートと磁極プレートの間に弦と水平に配置された希土類系マグネットと希土類系マグネットに弦に対して垂直方向に巻装されたコイルとで構成され、全体の厚みが３ミリメートル以下で極薄に形成され、電気ギターのネックエンド部とフロントピックアップとの間隙に配置されている。
【発明の効果】
【００４５】
極薄型電磁ドライバーの厚みを３ミリメートル程度と極薄型に形成することにより、従来の電磁ドライバーの構造では不可能であった電気ギターのネックエンド部とフロントピックアップとの僅かな間隙に搭載できる。
【００４６】
極薄型電磁ドライバーは、従来の電磁ドライバーが搭載されていた位置であるフロントピックアップの位置よりもさらに離間して搭載されることにより、より磁気フィードバックを抑制できる。
【００４７】
極薄型電磁ドライバーの厚みを３ミリメートル程度と極薄型に形成することにより、励振のための磁気放射はほとんど収束してしまうために、リアピックアップに入り込む磁気ノイズも効果的に抑制され、磁気フィードバックも可及的に抑制できる。
【図面の簡単な説明】
【００４８】
【図１】本発明をギブソンタイプの電気ギターに適用した実施例の正面図である。
【図２】本発明による弦振動持続装置の実施例の基本構成を示す一部断面側面図である。
【図３】本発明による極薄型電磁ドライバーの実施例を示し、（ａ）は正面図，（ｂ）は上面図，（ｃ）はIII ｃ−III ｃ線に沿った拡大断面図である。
【図４】本発明による昇降台座の実施例を示し、（ａ）は拡大斜視図，（ｂ）は要部断面図である。
【図５】本発明によるエスカッションの実施例を示し、（ａ）は平面図，（ｂ）は取り付け状態を示す平面図である。
【図６】本発明をフェンダータイプの電気ギターに適用した実施例の正面図である。
【図７】一般的なギブソンタイプの電気ギターを示す正面図である。
【図８】一般的なフェンダータイプの電気ギターを示す正面図である。
【発明を実施するための形態】
【００４９】
以下、本発明をギブソンタイプの電気ギターに適用した実施例を図１乃至図５を参照して詳細に説明する。なお、上記の図７の基本的構成にて説明した同一の構成部品については同一符号を付してその説明を省略する。
【００５０】
図１において、ギブソンタイプの電気ギター１には、ネック３側にフロントピックアップ４，ブリッジ５側にリアピックアップ６が搭載されている。
【００５１】
この２個のフロントピックアップ４およびリアピックアップ６は、各々エスカッション７を介して電気ギター１の本体２に取り付けられている。
【００５２】
弦振動持続装置２１は、図２に示すように、弦振動の周波数を検出し、検出した弦振動の周波数を電気信号に変換するリアピックアップ６と、この変換された電気信号を増幅する増幅器２２と、この増幅された電気信号を磁気信号に変換して弦８を励振する極薄型電磁ドライバー２３とで構成されており、極薄型電磁ドライバー２３は電気ギター１の本体２のネックエンド部２４とフロントピックアップ４との僅かな間隙に配置されている。
【００５３】
極薄型電磁ドライバー２３は、図３に示すように、磁性体で形成された２枚の磁極プレート２５，２５と、この磁極プレート２５，２５の間に弦８と水平の方向に配置された希土類系マグネット２６と、この希土類系マグネット２６に弦８に対して垂直方向に、絶縁部材で形成されたボビン２８を介して巻装されたコイル２７とで構成され、全体の厚みは３ミリメートル程度に形成されている。
【００５４】
磁極プレート２５は、磁性体、例えば、鉄板で各々０．５ミリメートル厚程度に形成されており、その全面に渡って放熱性向上のために絶縁性熱伝導樹脂（図示せず）にてコーティング処理が施されている。
【００５５】
希土類系マグネット２６は、小体積で可能な限り高磁力を得るために、希土類系マグネット、例えば、ネオジムマグネットで形成されている。
【００５６】
コイル２７は、コイル２７の直流抵抗成分を増加することによりカットオフ周波数を高音域側、即ち一般的な電気ギターの第１弦・最終フレットの最高基本周波数である約１３００Ｈｚ以上にシフトさせるために、極細のワイヤまたは線材（例えば、０．１ミリメートル程度の銅線）を従来の電磁ドライバーの巻装コイルに比較して緊密に巻装されている。
【００５７】
２枚の磁極プレート２５，２５には、水平方向に形成された磁気抵抗スリット２９および磁気抵抗スリット２９の両端から磁極プレート２５の垂直方向に形成された磁気抵抗スリット３０を有している。この磁気抵抗スリット２９，３０は、磁極プレート２５の上側の磁場を強化し磁気エネルギーを効率良く弦８に放射するために、希土類系マグネット２６よりも下側および左右両側の２枚の磁極プレート２５，２５に形成されている。
【００５８】
また、磁性部材３１が２枚の磁極プレート２５，２５間の最下部に磁気的結合配置されている。この磁性部材３１は、磁性体で形成されており、弦８と反対方向、即ち極薄型電磁ドライバー２３の下側方向に放射される磁気エネルギーの拡散を可及的に抑制して非開磁路、即ち閉磁路とするために、極薄型電磁ドライバー２３のコイル２７の下側へ放射される磁気エネルギーの吸収部材として設けられている。
【００５９】
極薄型電磁ドライバー２３は、図４に示すように電気ギター１の本体２のネックエンド部２４の本体壁面３２に、弦８方向への昇降台座３３を介して取り付けられている。
【００６０】
昇降台座３３は、極薄型電磁ドライバー２３の上辺と弦８との隙間調整のために設けられており、楕円形に形成された取り付け長孔３４と取り付けねじ３５とにより本体壁面３２に固定されており、さらに、その上部には微調整固定ねじ３６を有する構成となっている。
【００６１】
このようなギブソンタイプの電気ギター１において、ネックエンド部２４とフロントピックアップ４をマウントしているエスカッション７とは隙間無く隣接して配置されているため、電磁ドライバーの取り付けスペースは本来全く存在しない。したがって、図５に示すように極薄型電磁ドライバー２３は、３ミリメートル程度の幅に形成されているエスカッション７の枠体のネック３側に位置する部分を切り欠いてその切り欠きスペース３７において昇降台座３３を介して本体壁面３２に取り付けられている。
【００６２】
なお、弦振動持続装置２１の増幅器２２は、電気ギター１のボディ２に内設されている。
【００６３】
次に、本発明をフェンダータイプの電気ギターに適用した実施例を、図６を参照して詳細に説明するが、ギブソンタイプの電気ギターにて説明した同一の構成部品については同一符号を付してその説明を省略する。
【００６４】
図６において、電気ギター１５は、ネック３側にフロントピックアップ１６，ブリッジ１７側にリアピックアップ１８，またその中間にはセンターピックアップ１９が搭載されている。
【００６５】
この３個のフロントピックアップ１６，リアピックアップ１８およびセンターピックアップ１９は、プラスティック板で形成されたピックガード２０を介して電気ギター１５の本体２に取り付けられている。なお、リアピックアップ１８は、弦振動持続装置に適合させるために、図８のシングルコイルピックアップからハムバッキングタイプピックアップに変更されている。
【００６６】
弦振動持続装置２１は、弦振動の周波数を検出するリアピックアップ１８と、このリアピックアップ１８の検出信号を増幅する増幅器２２と、この増幅された電気信号を磁気信号に変換して弦８を励振する極薄型電磁ドライバー２３とで構成されており、極薄型電磁ドライバー２３は電気ギター１５のネックエンド部２４とフロントピックアップ１６との間隙に配置されている。
【００６７】
このフェンダータイプの電気ギター１５の場合、ネック３と本体２との接合部は弦長を規定するために隙間なく結合されるように、厳密に設計されている。したがって、極薄型電磁ドライバー２３は、ピックガード２０のネック３側の一部を３ミリメートル幅程度に切り欠いた上で、ネック３側の本体壁面、即ちフロントピックアップ１６に隣接して昇降台座３３を介して取り付けられている。
【００６８】
次に、本発明に係る極薄型電磁ドライバーの図１、図６の両タイプの実施例の作用を説明する。
【００６９】
弦振動持続装置２１の作動スイッチ（図示せず）をＯＮにすることにより、リアピックアップ６，１８は弦８の振動を検出し、この検出信号の一部は楽音信号としてアウトプットジャック１２を介して電気アンプ（図示せず）へ出力される。
【００７０】
また、検出信号の一部は、弦振動持続装置２１の増幅器２２へ出力される。この増幅器２２で増幅された信号は、極薄型電磁ドライバー２３に入力され、弦８の振動周波数に対応した磁気エネルギーが弦８に付与されることにより、弦８は励振され続け、弦８は延々と振動を持続する。
【００７１】
弦振動持続装置２１の作動スイッチ（図示せず）をＯＦＦにすると、リアピックアップ６，１８の弦振動検出信号は増幅器２２には送られず、極薄型電磁ドライバー２３も弦８に対する磁気エネルギーの付与を遮断する。
【００７２】
その時、ピックアップ切り替えスイッチ１０をフロントピックアップ４，１６側に切り替えることにより、フロントピックアップ４，１６は従来の電気ギターと同様にフロントピックアップサウンドを、アウトプットジャック１２を介して電気アンプ（図示せず）に出力する。
【００７３】
弦振動持続装置２１のＯＮ時には、希土類系マグネット２６の強力な磁力により、弦８は効果的に磁化され、効率良く励振が行われる作用をなす。
【００７４】
コイル２７は極細ワイヤが緊密に巻装されているため、コイル２７の直流抵抗成分を増加させている。そのことによりカットオフ周波数が高周波側、即ち一般的な電気ギターの第１弦の最終フレットにおける最高基本周波数である約１３００Ｈｚ以上にシフトされる。したがって、単位体積が小さく磁化されにくく、励振における弱点ともなっていた第１弦も良好に励振され得る作用をなす。
【００７５】
磁気抵抗スリット２９，３０が、希土類系マグネット２６よりも下側寄りおよび左右両側寄りの２枚の磁極プレート２５，２５の各々に形成されている。この磁気抵抗スリット２９，３０により、磁極プレート２５の希土類系マグネット２６よりも下側および左右両側に放射されていた磁気エネルギーは減少される。それにより磁極プレート２５の上側の磁場は強化され磁気エネルギーは効率良く弦８に放射される作用をなす。
【００７６】
また、磁性部材３１が２枚の磁極プレート２５，２５の間の最下部に磁気的結合配置されている。この磁性部材３１により、希土類系マグネット２６よりも下側の磁極プレート２５，２５の間は非開磁路、即ち閉磁路となる。したがって、極薄型電磁ドライバー２３のコイル２７の下側への磁気エネルギーは効果的に吸収され、弦８と反対方向、即ち極薄型電磁ドライバー２３の下側方向に放射される磁気エネルギーの拡散は可及的に抑制される作用をなす。
【００７７】
すなわち、極薄型電磁ドライバー２３は弦８を励振するための磁気エネルギーを弦８に対して放射するが、同様に弦８が存在しない下側にも放射する。弦８に放射された磁気エネルギーは励振時に弦８に吸収され、半閉磁路となるため、自然に磁気エネルギーの拡散は抑制されている。
【００７８】
一方、弦８に対抗する反対側に放射された磁気エネルギーは何にも吸収されず、開磁路になる。この磁気エネルギーの一部がリアピックアップ６，１８の下側から侵入して磁気フィードバックの発生を誘引してしまう。そこで、磁性部材３１は、極薄型電磁ドライバー２３の放射する弦８と反対方向への磁気エネルギーを吸収して閉磁路を形成することにより、極薄型電磁ドライバー２３の弦８の反対側から放射される磁気エネルギーを効果的に減少する作用をなす。したがって、磁気エネルギーの一部がリアピックアップ６に入り込む磁気フィードバックを効果的に抑制する作用をなす。
【００７９】
弦を励振するために比較的大電流を流すため極薄型電磁ドライバー２３は発熱することを余儀なくされる。しかしながら、２枚の磁極プレート２５，２５には放熱効果向上のため各々絶縁性熱伝導樹脂（図示せず）でコーティングを施しているため、発熱による希土類系マグネット２６およびコイル２７への悪影響は効果的に抑制される作用をなす。
【００８０】
極薄型電磁ドライバー２３は、弦８方向への昇降台座３３を介して本体２に取り付けられている。極薄型電磁ドライバー２３の高さを最適値にするべく調整を、昇降台座３３を介して行うことにより、極薄型電磁ドライバー２３の先端から放射される希土類系マグネット２６の強力な磁力が弦８に与える振動阻害や弦の吸引等の悪影響を最小にしつつ、かつ最大の励振効果が得られる位置に極薄型電磁ドライバー２３の高さの調整を行い得る作用をなす。
【００８１】
次に、本発明に係る極薄型電磁ドライバーの効果を説明する。
【００８２】
以上の説明で明らかな通り本発明に係る極薄型電磁ドライバーによれば、電磁ドライバーの厚みを３ミリメートル程度と極薄型に形成した。したがって、従来の電磁ドライバーの構造では不可能であった電気ギターのネックエンド部とフロントピックアップとの僅かな間隙に搭載することが可能となる。
【００８３】
その効果により、従来型弦振動持続装置のように電磁ドライバーを搭載するためにフロントピックアップを犠牲にする必要性が解消された。したがって、電気ギターとしての必要不可欠の条件であるフロントピックアップの本来のサウンドが問題無く得られるという効果を奏する。
【００８４】
また、このような弦振動持続装置では弦振動を検出するリアピックアップに電磁ドライバーより放射される磁気エネルギーの一部が入り込まないように可能な限り電磁ドライバーとリアピックアップとは離間して配置されることが好ましい。本発明に係る極薄型電磁ドライバーは、従来の電磁ドライバーが搭載されていた位置であるフロントピックアップの位置よりもさらに離間して搭載されることにより、より磁気フィードバックを抑制できるという効果を奏する。
【００８５】
さらに、本発明に係る極薄型電磁ドライバーによれば、２枚の磁極プレート間の距離は僅か２ミリメートル程度となる。したがって、この距離間で励振のための磁気放射はほとんど収束してしまうために、リアピックアップに入り込む磁気ノイズも効果的に抑制され、磁気フィードバックも可及的に抑制される効果を有する。
【００８６】
また、フロントピックアップと電磁ドライバーとは独立して機能させることが可能となった。したがって、フロントピックアップを増幅回路に組み込む必要性も無くなったため、サウンド特性への悪影響のみならず、弦振動持続装置のバッテリーが消耗しても演奏は継続して行え、また弦振動持続装置自体を不使用とした場合でも演奏を行い得る効果を有する。
【００８７】
さらに、本発明によれば、極薄型電磁ドライバーは３ミリメートル程度と極薄に形成されている。したがって、電気ギターの製造時における組み込みの他に、伝統的かつ典型的な設計の電気ギターを含むあらゆるモデルにも無理なくデザイン的にマッチングさせることが可能となる。よって、既存の電気ギターへの後付けのパーツとしての用途も可能となる実用上の著効を奏する。
【００８８】
また、既存の電気ギターへの後付けパーツとして利用した場合には、極薄型電磁ドライバー搭載のための加工も３ミリメートル程度の本体座繰り加工およびエスカッション切り欠きまたはピックガードの切り欠き程度の軽作業で可能となる実用上の著効を奏する。
【００８９】
さらに、実施例のように、現状において、最も強い磁束密度を有するネオジムマグネットを希土類系マグネットに使用することにより、極薄型であっても充分な励振力を有する極薄型電磁ドライバーを提供することが可能となる効果を有する。
【００９０】
また、実施例のように、コイルを従来の電磁ドライバーで採用されている線材よりも細い極細ワイヤを使用しさらに緊密に巻装することにより、コイルの直流抵抗成分を増加させる。したがって、カットオフ周波数を高音域側、即ち一般的な電気ギターの第１弦・最終フレットの最高基本周波数である約１３００Ｈｚ以上にシフトさせることが可能となる。よって、単位体積が小さく磁化されにくく、励振における弱点ともなっていた第１弦も良好に励振させ得るという効果を有する。
【００９１】
さらに、実施例のように、２枚の磁極プレートを絶縁性熱伝導樹脂でコーティングを施した構成にすると、極薄型電磁ドライバーの自己発熱の放熱効果が向上し、ネオジムマグネットの劣化およびコイルの劣化を効果的に抑制できる効果を有する。
【００９２】
また実施例のように、磁気抵抗スリットが、希土類系マグネットよりも下側および／または左右両側の２枚の磁極プレートの各々に形成されたことにより、磁極プレート上側の磁場を強化し磁気エネルギーを効率良く弦に付与することが可能となる効果を有する。
【００９３】
さらに、実施例のように、磁性部材が、極薄型電磁ドライバーの下側への磁気エネルギーの磁場拡散を可及的に抑制するために、コイルよりも下側の極薄型電磁ドライバーに磁気的結合配置された構成にすると、この磁性部材により閉磁路が形成される。したがって、極薄型電磁ドライバーの下側から放射される磁気エネルギーの拡散が効果的に抑制され、リアピックアップに極薄型電磁ドライバーから放射される磁気エネルギーの一部が入り込むいわゆる磁気フィードバックが可及的に抑制される効果を有する。
【００９４】
また、実施例のように、極薄型電磁ドライバーを弦方向への昇降台座を介して電気ギター本体へ取り付ける構成とすることにより、弦を駆動する励振力と電磁ドライバーの持つ磁力が弦振動へ及ぼす悪影響とのバランスを極めて微妙にかつ効率良くバランスを取ることが可能となる効果を有する。
【００９５】
さらに、実施例のように、フロントピックアップのエスカッションを切り欠いたスペースにおいて本体壁面に昇降台座を介して極薄型電磁ドライバーを取り付けた構成にすると、本来取り付けスペースが全く無いギブソンタイプのフロントピックアップとネックエンド部との間隙にも問題無く取り付けることが可能となる。このことは本発明に係る極薄型電磁ドライバーを後からこのタイプの電気ギターにも容易に搭載することが可能となる実用上の著効を奏する。
【００９６】
なお、実施例では、希土類系マグネットの一例としてネオジムマグネットを使用した例について説明したが、これに限定されるものではない。例えば、サマリウムコバルトマグネット等の希土類系強力マグネットを使用したものであってもよい。
【００９７】
また、実施例では、コイルの直流抵抗成分を増加させることによりカットオフ周波数を高周波数側にシフトさせるために、極細ワイヤを緊密に巻装した例について説明したが、これに限定されるものではない。例えば、強力な励振を必要としない電気ギターやロングスケールまたはローテンションに設計された電気ギター等の比較的励振し易い電気ギターに適用する場合、従前のコイルと同等の仕様としたものであってもよい。
【００９８】
さらに、実施例では、磁気抵抗スリットが、希土類系マグネットよりも下側および／または左右両側の２枚の磁極プレートの各々に形成された例について説明したが、これに限定されるものではない。例えば、強力な励振を必要としない電気ギターやロングスケールまたはローテンションに設計された電気ギター等の比較的励振し易い電気ギターに適用する場合、いずれか一つの磁気抵抗スリットの形成としたものまたは磁気抵抗スリット自体を省略したものであってもよい。
【００９９】
また、実施例では、２枚の磁極プレートに放熱効果向上のため各々絶縁性熱伝導樹脂でコーティングを施した例について説明したが、これに限定されるものではない。例えば、強力な励振を必要としない電気ギターやロングスケールまたはローテンションに設計された電気ギター等の比較的励振し易い電気ギターに適用する場合、基本的に駆動電流を少なくし、発熱を少なくできるため、絶縁性熱伝導樹脂のコーティングは省略したものであってもよい。
【０１００】
さらに、実施例では説明を省略したが放熱効果向上のために磁極プレート自体を放熱構造、即ち表面積を増加させるために微小なフィン形成やエンボス加工または波型に形成してもよい。
【０１０１】
また、実施例では、コイルの下側の磁場拡散を可及的に抑制するために、コイルよりも下側の極薄型電磁ドライバーに磁性部材を磁気的結合することにより磁気的閉磁路を形成するようにした例について説明したが、これに限定されるものではない。例えば、コイルよりも下側の極薄型電磁ドライバーに磁性部材を離間して設置して、磁気的半閉磁路として設置してもよい。
【０１０２】
さらに、例えば、強力な励振を必要としない電気ギターやロングスケールまたはローテンションに設計された電気ギター等の比較的励振し易い電気ギターに適用する場合、駆動電流を少なくして磁気フィードバック自体を少なくできるため、磁性部材は省略してもよい。
【０１０３】
また、実施例では、極薄型電磁ドライバーは、電気ギター本体のフロントピックアップのネック側の本体壁面に、弦方向への昇降台座を介して取り付けた例について説明したが、これに限定されるものではない。例えば、予め厳密なスペース設計を行い最適な搭載位置が決定している場合、または、例えば、強力な励振を必要としない電気ギターやロングスケールまたはローテンションに設計された電気ギター等の比較的励振し易い電気ギターに適用する場合、昇降台座は省略してもよい。
【産業上の利用可能性】
【０１０４】
本発明は、電磁ピックアップを備えた電気ギターに搭載される弦振動持続装置に用いる電磁ドライバーに適用できる。特に、本発明は、電気ギターのネックエンド部とフロントピックアップとの僅かな間隙に配置されるべく全体の厚みが物理的な限界寸法である３ミリメートル以下の極薄に形成された極薄型電磁ドライバー、またはこの極薄型電磁ドライバーを備えた弦振動持続装置を搭載した電気ギターに適用できる。
【符号の説明】
【０１０５】
１，１５    電気ギター
２    本体
３    ネック
４，１６    フロントピックアップ
５，１７    ブリッジ
６，１８    リアピックアップ
７    エスカッション
８    弦
１９    センターピックアップ
２０    ピックガード
２１    弦振動持続装置
２２    増幅器
２３    極薄型電磁ドライバー
２４    ネックエンド部
２５    磁極プレート
２６    希土類系マグネット
２７    コイル
２８    ボビン
２９    水平方向磁気抵抗スリット
３０    垂直方向磁気抵抗スリット
３１    磁性部材
３２    本体壁面
３３    昇降台座
３４    長孔
３５    取り付けねじ
３６    微調整固定ねじ
３７    切り欠きスペース
【要約】
【課題】本発明は、弦振動持続装置の不使用時には従前の電気ギターと同一の位置に搭載したフロントピックアップの本来のサウンドを得ることを目的とする。
【解決手段】本発明に係る弦振動持続装置（２１）は、弦振動を電気信号に変換するリアピックアップ（６，１８）と、変換された電気信号を増幅する増幅器（２２）と、増幅された電気信号を磁気信号に変換して弦を励振する極薄型電磁ドライバー（２３）とを備え、極薄型電磁ドライバー（２３）は、磁性体で形成された２枚の磁極プレート（２５，２５）と２枚の磁極プレートの間に弦と水平に配置された希土類系マグネット（２６）と希土類系マグネットに弦に対して垂直方向に巻装されたコイル（２７）とで構成され、全体の厚みが３ミリメートル以下で極薄に形成され、電気ギター（１，１５）のネックエンド部（２４）とフロントピックアップ（４，１６）との僅かな間隙に配置されている。
【選択図】図１【図１】
0005676044.tif 000002
【図２】
0005676044.tif 000003
【図３】
0005676044.tif 000004
【図４】
0005676044.tif 000005
【図５】
0005676044.tif 000006
【図６】
0005676044.tif 000007
【図７】
0005676044.tif 000008
【図８】
0005676044.tif 000009